(57)【要約】【課題】高解像度の高画素映像に含まれる監視対象の挙動の情報をできるだけ失うことなく、配信または記録される映像データ量を減ずることを可能にする。【解決手段】監視カメラ装置１０は、画像センサ１１で取得された高解像度の高画素フレーム映像を低解像度の低画素フレーム映像にする映像低画素化部１３と、時系列の複数の高画素フレーム映像に基づいて移動する映像部分である移動体映像を検出する移動体映像検出部１５と、その高画素フレーム映像の中から移動体映像と移動体映像の移動軌跡情報とを含んだ部分映像を切り出す部分映像切出部１６と、映像低画素化部１３で低画素化した低画素フレーム映像と部分映像切出部１６で切り出した部分映像とを監視映像管理装置２０へ配信する監視映像配信部１８と、を備えて構成される。【選択図】図１
2019009615.tif 000002
【特許請求の範囲】
【請求項１】
通信ネットワークに接続され、ハイビジョンレベルの高画素で高解像度の第１の映像を取得する画像センサを備えた監視カメラ装置であって、
前記画像センサで取得された前記第１の映像を時系列順に記憶する映像記憶部と、
前記第１の映像を、前記第１の映像よりも画素数の少ない低解像度の映像にして、第２の映像を得る映像低画素化部と、
前記映像記憶部に記憶された時系列順の複数の前記第１の映像に基づき、前記第１の映像の中において移動する映像部分である移動体映像と前記移動体映像の移動方向とを検出する移動体映像検出部と、
前記第１の映像の中から、前記移動体映像と前記移動体映像の移動方向を示す情報とが含まれた部分映像を第３の映像として切り出す部分映像切出部と、
前記映像低画素化部で生成した前記第２の映像と前記部分映像切出部で切り出した前記第３の映像とを併せて前記通信ネットワークに接続された他装置へ配信する監視映像配信部と、
を備えることを特徴とする監視カメラ装置。
【請求項２】
前記部分映像切出部は、
前記第１の映像の中から前記第３の映像を切り出す場合には、前記移動体映像が端部に位置し、かつ、前記移動体映像の移動軌跡を含むように前記第３の映像を切り出すこと
を特徴とする請求項１に記載の監視カメラ装置。
【請求項３】
前記部分映像切出部は、
前記第１の映像の中から前記第３の映像を切り出す場合には、前記移動体映像が端部に位置し、かつ、前記移動体映像がこれから移動すると予測される予測移動軌跡を含むように前記第３の映像を切り出すこと
を特徴とする請求項１に記載の監視カメラ装置。
【請求項４】
前記部分映像切出部は、
前記第１の映像の中から前記第３の映像を切り出す場合には、ＶＧＡ（Video Graphics Array）に相当する画素数を有する部分映像を前記第３の映像として切り出すこと
を特徴とする請求項１に記載の監視カメラ装置。
【請求項５】
通信ネットワークに接続され、ハイビジョンレベルの高画素で高解像度の第１の映像を取得する画像センサを備えた監視カメラ装置における監視映像配信方法であって、
前記画像センサを介して前記第１の映像を取得する第１のステップと、
前記第１のステップで取得された前記第１の映像を時系列順に記憶装置に記憶する第２のステップと、
前記第１の映像を、前記第１の映像よりも画素数の少ない低解像度の映像にして、第２の映像を得る第３のステップと、
前記第２のステップで記憶装置に時系列順に記憶された複数の前記第１の映像に基づき、前記第１の映像の中において移動する映像部分である移動体映像と前記移動体映像の移動方向とを検出する第４のステップと、
前記第１の映像の中から、前記移動体映像と前記移動体映像の移動方向を示す情報とが含まれた部分映像を第３の映像として切り出す第５のステップと、
前記第３のステップで得た前記第２の映像と前記第５のステップで切り出した前記第３の映像とを併せて前記通信ネットワークに接続された他装置へ配信する第６のステップと、
を備えること
を特徴とする監視映像配信方法。
【請求項６】
通信ネットワークに接続され、ハイビジョンレベルの高画素で高解像度の第１の映像を取得する画像センサを備えた監視カメラ装置と、
前記通信ネットワークに接続され、前記監視カメラ装置で取得された監視映像を収集し表示する監視映像管理装置と、
を含んで構成される監視システムであって、
前記監視カメラ装置は、
前記画像センサで取得された前記第１の映像を時系列順に記憶する映像記憶部と、
前記第１の映像を、前記第１の映像よりも画素数の少ない低解像度の映像にして、第２の映像を得る映像低画素化部と、
前記映像記憶部に記憶された時系列順の複数の前記第１の映像に基づき、前記第１の映像の中において移動する映像部分である移動体映像と前記移動体映像の移動方向とを検出する移動体映像検出部と、
前記第１の映像の中から、前記移動体映像と前記移動体映像の移動方向を示す情報とが含まれた部分映像を第３の映像として切り出す部分映像切出部と、
前記映像低画素化部で生成した前記第２の映像と前記部分映像切出部で切り出した前記第３の映像とを併せて前記通信ネットワークに接続された他装置へ配信する監視映像配信部と、
を備え、
前記監視映像管理装置は、
前記監視カメラ装置から配信される前記第２の映像と前記第３の映像に前記移動体映像の移動方向を付した情報とを併せて記録する監視映像レコーダと、
前記第２の映像から前記第３の映像に対応する部分を除外した映像と、前記第３の映像とを合成して表示する高画素の監視映像表示装置と、
を備えること
を特徴とする監視システム。
【発明の詳細な説明】
【技術分野】
【０００１】
本発明は、通信ネットワークに接続された監視カメラ装置、この監視カメラ装置における監視映像配信方法、および、この監視カメラ装置を含んで構成される監視システムに関する。
【背景技術】
【０００２】
近年、駅中、ビル中、街中などには、監視カメラを用いた監視システムが設置されることが多くなってきた。このような監視システムは、通常、通信ネットワークに接続された監視カメラと、その監視カメラで撮影され、通信ネットワークを介して収集された映像をレコーダに記録するとともに、ディスプレイに表示する監視映像管理装置と、を備えて構成される。
【０００３】
また、近年では、監視カメラの画素数が、例えば、ＶＧＡ（Video Graphics Array）の３０万画素レベルからＨＤＴＶ（High-definition television）の２００万画素レベルへと高画素化しつつある。これは、映像データ量が大幅に増加しつつあることを意味する。映像データ量の大幅な増加は、通信ネットワークの通信容量を圧迫するだけでなく、レコーダの容量をも圧迫する。そのため、同じレコーダで長時間記録を維持したい場合には、高画素映像を低画素化してレコーダに記録することなども行われている。
【０００４】
特許文献１には、高画素映像を撮影し、クライアントＰＣからの要求に応じて、高画素映像を含んだメインストリームか、または、高画素映像を低画素化した低画素映像を含んだサブストリームかを選択して配信する監視装置の例が開示されている。また、特許文献２には、高解像度の高画素映像を含んだメインストリームと高解像度の高画素映像から切り出した高解像度の部分映像を含んだサブストリームとを配信する監視カメラの例が開示されている。
【先行技術文献】
【特許文献】
【０００５】
【特許文献１】特開２０１２−０１９４０７号公報
【特許文献２】特開２０１４−１９２８４４号公報
【発明の概要】
【発明が解決しようとする課題】
【０００６】
しかしながら、映像データ量の大幅な増加の問題に対処するために、特許文献１に開示された技術において、例えば、低画素映像を含んだサブストリームだけを配信に用いるようにするのであれば、高画素映像を撮影したことの意味が失われる。すなわち、低解像度映像だけを配信することは、高解像度映像に含まれている情報の一部が失われることとなる。また、特許文献２に開示された技術において、高解像度の部分映像だけを配信に用いるようにするのであれば、部分映像が全体映像の中でどこにあるかという情報が失われることとなる。
【０００７】
したがって、特許文献１や特許文献２などに開示された技術は、映像データ量の大幅な増加の問題に対処する適切な解決策となっているとは言い難い。配信される映像データ量を減らそうとすると、どうしても高解像度の高画素映像に含まれる一部の情報が失われることとなる。
【０００８】
以上のような従来技術の問題点に鑑み、本発明は、高解像度の高画素映像に含まれる監視対象の挙動の情報をできるだけ失うことなく、配信または記録される映像データ量を減ずることが可能な監視カメラ装置、監視映像配信方法および監視システムを提供することを目的とする。
【課題を解決するための手段】
【０００９】
本発明に係る監視カメラ装置は、通信ネットワークに接続され、ハイビジョンレベルの高画素で高解像度の第１の映像を取得する画像センサを備えた監視カメラ装置であって、前記画像センサで取得された前記第１の映像を時系列順に記憶する映像記憶部と、前記第１の映像を、前記第１の映像よりも画素数の少ない低解像度の映像にして、第２の映像を得る映像低画素化部と、前記映像記憶部に記憶された時系列順の複数の前記第１の映像に基づき、前記第１の映像の中において移動する映像部分である移動体映像と前記移動体映像の移動方向とを検出する移動体映像検出部と、前記第１の映像の中から、前記移動体映像と前記移動体映像の移動方向を示す情報とが含まれた部分映像を第３の映像として切り出す部分映像切出部と、前記映像低画素化部で生成した前記第２の映像と前記部分映像切出部で切り出した前記第３の映像とを併せて前記通信ネットワークに接続された他装置へ配信する監視映像配信部と、を備えることを特徴とする。
【発明の効果】
【００１０】
本発明によれば、高解像度の高画素映像に含まれる監視対象の挙動の情報をできるだけ失うことなく、配信または記録される映像データ量を減ずることが可能な監視カメラ装置、監視映像配信方法および監視システムが提供される。
【図面の簡単な説明】
【００１１】
【図１】本発明の実施形態に係る監視カメラ装置およびその監視カメラ装置を用いた監視システムの構成の例を示した図。
【図２】本発明の実施形態に係る監視カメラ装置および監視映像管理装置おいて行われる映像処理の流れの例を示した図。
【図３】図２の映像処理で得られる高画素フレーム映像、高画素部分映像、低画素フレーム映像および合成フレーム映像の例を示した図。
【図４】移動体映像の移動軌跡のデータの例を示した図。
【図５】比較例に係る高画素フレーム映像、高画素部分映像、低画素フレーム映像および表示フレーム映像の例を示した図。
【図６】本発明の実施形態の第１の変形例に係る高画素フレーム映像、高画素部分映像、低画素フレーム映像および合成フレーム映像の例を示した図。
【図７】本発明の実施形態の第２の変形例に係る高画素フレーム映像、高画素部分映像、低画素フレーム映像および合成フレーム映像の例を示した図。
【発明を実施するための形態】
【００１２】
以下、本発明の実施形態について、図面を参照して詳細に説明する。なお、各図面において、共通する構成要素には同一の符号を付し、重複した説明を省略する。
【００１３】
図１は、本発明の実施形態に係る監視カメラ装置１０およびその監視カメラ装置１０を用いた監視システム１００の構成の例を示した図である。図１に示すように、本発明の実施形態に係る監視システム１００は、通信ネットワーク３０に接続された監視カメラ装置１０と監視映像管理装置２０とを備えて構成される。ここで、通信ネットワーク３０には、１つまたは複数の監視カメラ装置１０が接続される。そして、監視カメラ装置１０により取得された監視映像は、監視映像管理装置２０に配信され、監視映像管理装置２０によって監視映像レコーダ２２に記録されるとともに、監視映像表示装置２４に表示される。
【００１４】
さらに、図１に示すように、監視カメラ装置１０は、画像センサ１１、映像記憶部１２、映像低画素化部１３、メインストリーム生成部１４、移動体映像検出部１５、部分映像切出部１６、サブストリーム生成部１７、監視映像配信部１８などを含んで構成される。
【００１５】
画像センサ１１は、ハイビジョンレベルの高画素数（例えば、１９２０×１０８０）のセンサセル（図示省略）を有し、各センサセルは、監視カメラ装置１０の外界からレンズ（図示省略）を通して入射する光信号を、例えば１／３０秒ごとに電気信号に変換する。すなわち、画像センサ１１は、所定の周期（例えば１／３０秒）で外界の映像を取得する（撮影する）ことができる。なお、この所定の周期で撮影される映像は、フレーム映像と呼ばれる。本実施形態では、画像センサ１１を介して所定の周期（例えば１／３０秒）ごとに得られる映像を高画素フレーム映像３１（図３参照）という。
【００１６】
映像記憶部１２は、画像センサ１１により所定の周期で取得（撮影）された最新の高画素フレーム映像３１を時系列順に所定の複数フレーム分（例えば５フレーム分）、それぞれのフレームの識別番号（例えば撮影時刻）に対応付けて一時的に記憶する。映像記憶部１２では、記憶可能なフレーム数を超えた高画素フレーム映像３１は、古い順に廃棄される。また、ここでいう高画素フレーム映像３１は、ハイビジョンレベルの高画素数のセンサセルを有する画像センサ１１から得られる映像であるから、一般的には高解像度の映像ということができる。
【００１７】
映像低画素化部１３は、画像センサ１１により取得される高画素フレーム映像３１の画素数を減じて、低画素フレーム映像３２（図３参照）に変換する。例えば、ハイビジョンレベルの高画素数（１９２０×１０８０）の高画素フレーム映像３１を、ハイビジョンよりも低画素数のＶＧＡ（Video Graphics Array：６４０×４８０）の低画素フレーム映像３２に変換する。なお、このような画素数の変換により、元の高画素フレーム映像３１において、例えば４つの画素それぞれにより表されていた映像信号は、例えば１つの画素にまとめられた映像信号として表されることとなる。そのため、変換後の低画素フレーム映像３２の解像度は低下する。
【００１８】
以上のようなフレーム映像などにおける画素数の変換処理は、しばしばスケーリング処理と呼ばれる。したがって、映像低画素化部１３における処理は、ハイビジョンレベルの高画素フレーム映像３１をＶＧＡレベルの低画素フレーム映像３２に変換するスケーリング処理であるといえる。ここで、このスケーリング処理後の低画素フレーム映像３２を、ハイビジョンレベルの画素数を有する高画素表示装置で表示すると、低画素フレーム映像３２は、小さく縮小されて表示される。そのため、スケーリング処理後の低画素フレーム映像３２の解像度は、当然ながら、高画素フレーム映像３１の解像度よりも低下することとなる。
【００１９】
以上のように、映像低画素化部１３によりスケーリングされて得られた低画素フレーム映像３２は、元の高画素フレーム映像３１に比べ解像度が低下するので、その分、ぼやけた映像となる。そのため、元の高画素フレーム映像３１で識別可能であったものも、低画素フレーム映像３２では、それが何であるかを識別できなくなる場合も生じる。
【００２０】
メインストリーム生成部１４は、映像低画素化部１３により生成された低画素フレーム映像３２から、配信用のデータとしてのメインストリームを生成する。なお、このメインストリームの生成に際しては、低画素フレーム映像３２をＪＰＥＧ（Joint Photographic Experts Group）やＭＰＥＧ（Moving Picture Experts Group）などの方法によって符号化してもよい。
【００２１】
移動体映像検出部１５は、映像記憶部１２に記憶されている時系列の複数の高画素フレーム映像３１に基づき、その高画素フレーム映像３１において移動する映像部分を移動体映像として検出する。ここで、本実施形態では、監視カメラ装置１０は、街中やビル中を監視するために設けられた固定点カメラであり、撮影される方向や範囲は、常に一定であるとする。したがって、本実施形態では、移動体映像検出部１５で検出される移動体映像の多くは、人物の映像または車両の映像である。このような移動体映像は、例えば、映像記憶部１２に記憶されている最新の高画素フレーム映像３１を１フレームないし数フレーム前の高画素フレーム映像３１と比較して、変化した映像部分として抽出することができる。
【００２２】
移動体映像検出部１５は、さらに、移動体映像が移動する方向をも検出する。その場合、移動体映像が移動する方向は、例えば、時系列の高画素フレーム映像３１で検出された移動体映像の同じ特徴点の移動方向として検出することができる。ここで、移動体映像の特徴点とは、移動体映像検出部１５で検出された移動体映像の輪郭図形の特定の端点であってもよく、あるいは、移動体映像の重心点などであってもよい。
【００２３】
なお、以上のような移動体映像検出部１５の機能は、一般的なコンピュータの人流解析プログラムなどを用いて実現することもできる。
【００２４】
部分映像切出部１６は、高画素フレーム映像３１の中から、移動体映像検出部１５で検出された移動体映像とその移動体映像の移動方向とを含んだ高画素部分映像３１ａ（図３参照）を切り出す。ここで切り出される高画素部分映像３１ａの大きさは、例えばＶＧＡに相当する画素数を有する大きさであるとする。すなわち、部分映像切出部１６は、ハイビジョンレベルの高画素フレーム映像３１（約２０７万画素）の中から、ＶＧＡ（約３１万画素）に相当する画素数サイズの部分映像を、高画素部分映像３１ａとして切り出す。
【００２５】
ただし、ここでいう高画素部分映像３１ａの「高画素」は、高画素フレーム映像３１から切り出した映像という意味であって、高画素部分映像３１ａの画素数が大きいわけではない。ただし、高画素部分映像３１ａは、高画素フレーム映像３１から切り出した映像の一部であるから、当然ながらハイビジョンレベルの高い解像度を有する。
【００２６】
なお、本実施形態では、部分映像切出部１６により切り出される高画素部分映像３１ａには、移動体映像検出部１５で検出された移動体映像が含まれることの他に、移動体映像の移動方向（移動軌跡の方向）の情報が含まれることが大きな特徴となっている。この特徴の詳細については、後で詳しく説明する。
【００２７】
サブストリーム生成部１７は、部分映像切出部１６により切り出された高画素部分映像３１ａを監視映像管理装置２０へ配信するためのデータとしてのサブストリームを生成する。なお、サブフレームデータの生成に際して、高画素部分映像３１ａをＪＰＥＧやＭＰＥＧなどの方法によって符号化してもよい。
【００２８】
監視映像配信部１８は、メインストリーム生成部１４で生成されたメインストリームデータとサブストリーム生成部１７で生成されたサブストリームデータとを、通信ネットワーク３０を介して監視映像管理装置２０へ配信する。なお、監視映像管理装置２０へ配信されるメインストリームデータおよびサブストリームデータには、監視カメラ装置１０を識別する情報などが含まれているものとする。
【００２９】
監視映像管理装置２０は、映像データ管理部２１、監視映像レコーダ２２、監視映像合成部２３、監視映像表示装置２４などを含んで構成される。
【００３０】
映像データ管理部２１は、監視カメラ装置１０から配信されるメインストリームデータおよびサブストリームデータを受信し、その中から、低画素フレーム映像３２および高画素部分映像３１ａを取り出す。そして、その低画素フレーム映像３２および高画素部分映像３１ａを監視映像レコーダ２２に記録する。
【００３１】
監視映像合成部２３は、ＶＧＡレベルの低画素フレーム映像３２をハイビジョンレベルの高画素映像に拡大した映像の上に高画素部分映像３１ａを重ね合わせて（はめ込んで）合成フレーム映像３３（図３参照）を生成する。そして、その生成した合成フレーム映像３３を監視映像表示装置２４に表示する。このとき、低画素フレーム映像３２は、低画素化されたときに低下した解像度のままであるので、その映像はややぼやけたものとなるが、高画素部分映像３１ａは、切り出しなどの処理過程で解像度が低下することはない。
【００３２】
したがって、監視映像表示装置２４に全体に表示される低画素フレーム映像３２は、ぼけた映像となるが、その中にはめ込まれて表示される高画素部分映像３１ａは、高解像度のきれいな映像となる。この高画素部分映像３１ａには、移動体映像および移動体の移動する移動方向の情報が含まれているので、監視者は、移動体（人物や車両など）の挙動を高解像度の映像として観察することができる。
【００３３】
続いて、図２〜図４を用いて、監視カメラ装置１０および監視映像管理装置２０において行われる映像処理について具体的に説明する。ここで、図２は、本発明の実施形態に係る監視カメラ装置１０および監視映像管理装置２０において行われる映像処理の流れの例を示した図である。また、図３は、図２の映像処理で得られる高画素フレーム映像３１、高画素部分映像３１ａ、低画素フレーム映像３２および合成フレーム映像３３の例を示した図である。また、図４は、移動体映像の移動軌跡のデータの例を示した図である。
【００３４】
図２に示すように、監視カメラ装置１０は、まず、画像センサ１１で撮影した高画素フレーム映像３１（図３参照）を時系列順に映像記憶部１２（図１参照）に記憶させる（ステップＳ１１）。なお、映像記憶部１２は、複数フレーム分（例えば、５フレーム分）の高画素フレーム映像３１を記憶することができ、最新の高画素フレーム映像３１を次々に記憶していくとともに、古い高画素フレーム映像３１から順に廃棄する。
【００３５】
次に、監視カメラ装置１０（映像低画素化部１３）は、高画素フレーム映像３１をスケーリングして低画素フレーム映像３２を生成する（ステップＳ１２）。ここで、高画素フレーム映像３１は、画素数が、例えば、ハイビジョンレベルの１９２０×１０８０の高解像度の映像である。また、低画素フレーム映像３２は、画素数が、例えば、ＶＧＡレベルの６４０×４８０の低解像度の映像である。なお、図３では、高解像度の映像であることを実線の画像で表し、低解像度の映像であることを破線の画像で表している。
【００３６】
次に、監視カメラ装置１０（メインストリーム生成部１４）は、低画素フレーム映像３２から配信用のデータとしてのメインストリームを生成する（ステップＳ１３）。なお、メインストリームの生成に際して、低画素フレーム映像３２は、ＪＰＥＧやＭＰＥＧで符号化されてもよい。
【００３７】
また、監視カメラ装置１０（移動体映像検出部１５）は、映像記憶部１２に記憶されている最新の高画素フレーム映像３１を、１フレームないし数フレーム前の高画素フレーム映像３１と比較する（ステップＳ１４）。そして、その比較の結果に基づき、高画素フレーム映像３１において移動している移動体映像および移動体映像の移動方向（移動軌跡）を取得する（ステップＳ１５）。
【００３８】
なお、ここで取得される移動体映像は、例えば、移動する人物の輪郭図形や、その輪郭図形を含む最小の矩形でなどで表される。また、移動体映像の移動方向（移動軌跡）は、移動体映像の特徴点の移動方向（移動軌跡）として表される。なお、図３の高画素フレーム映像３１の例では、移動体映像の特徴点は、移動体映像の左下隅の点であり、図３の中に示された２点鎖線は、移動体映像の特徴点の移動軌跡を表している。
【００３９】
図４には、時系列の高画素フレーム映像３１から得られる移動体映像の軌跡および移動方向のデータの例が示されている。図４において、フレームＮｏは、画像センサ１１により取得される高画素フレーム映像３１の時系列順を識別する情報である。また、移動体位置のＸ座標、Ｙ座標は、移動体映像の特徴点の位置座標であり、移動体のＸ方向移動量、Ｙ方向移動量は、フレームごとに変化する移動体位置のＸ座標、Ｙ座標の増減量である。
【００４０】
なお、図４における移動体位置のＸ座標、Ｙ座標が表す点を、図３の高画素フレーム映像３１の中にプロットし、つないでいくことにより、一点鎖線で示されるような移動体映像の移動軌跡を得ることができる。さらに、図４のデータからは、移動体位置のＸ座標がほぼ一定に増加し、また、Ｙ座標が多少の変動はあるもののほぼ一定値であることから、移動体映像は、Ｘ方向に移動していることが分かる。
【００４１】
次に、監視カメラ装置１０（部分映像切出部１６）は、高画素フレーム映像３１から移動体映像および移動体映像の移動方向を含んだ高画素部分映像３１ａ（図３参照）を切り出す（ステップＳ１６）。図３の例では、高画素部分映像３１ａは、高画素フレーム映像３１の中から太い破線で囲まれた部分の映像として切り出される。そして、その切り出しに際しては、高画素部分映像３１ａにおいて移動体映像である人物の映像が右端に位置し、移動体映像の移動軌跡がその左側に位置するように、高画素部分映像３１ａが切り出される。このようにして切り出された高画素部分映像３１ａでは、移動体映像（人物の映像）が左から右へ移動したことが分かる。すなわち、この高画素部分映像３１ａは、移動体映像（人物の映像）および移動体映像の移動方向を併せて含んだ映像であるといえる。同様に、移動体映像が右から左に移動する場合には、移動体映像が左端に位置し、移動体映像の移動軌跡が右側に位置するように高画素部分映像３１ａが切り出される。
【００４２】
また、移動体映像が上部（映像の後方）から下部（映像の前方）へ移動する場合には、移動体映像が下部に位置し、移動軌跡が上部に位置するように高画素部分映像３１ａが切り出される。さらに、移動体映像が下部（映像の前方）から上部（映像の後方）へ移動する場合には、移動体映像が上部に位置し、移動軌跡が下部に位置するように高画素部分映像３１ａが切り出される。なお、ここでは、監視カメラ装置１０は、移動体の移動位置よりもやや高い位置から移動体の移動状況を撮影しているものとしている。
【００４３】
以上のように、本実施形態では、高画素部分映像３１ａは、移動体映像（人物の映像など）が左右上下などの端部（周縁部）に位置し、かつ、移動体映像の移動軌跡が含まれるように、高画素フレーム映像３１から切り出される。このような高画素部分映像３１ａでは、移動体映像の位置と移動軌跡との位置関係により移動体映像の移動方向を知ることができる。
【００４４】
次に、監視カメラ装置１０（サブストリーム生成部１７）は、高画素部分映像３１ａから配信用のデータとしてのサブストリームを生成する（ステップＳ１７）。なお、サブストリームの生成に際して、低画素フレーム映像３２は、ＪＰＥＧやＭＰＥＧで符号化されてもよい。
【００４５】
次に、監視カメラ装置１０（監視映像配信部１８）は、ステップＳ１３およびステップＳ１７で生成したメインストリームおよびサブストリームを、通信ネットワーク３０を介して監視映像管理装置２０へ配信する（ステップＳ１８）。
【００４６】
以下は、監視映像管理装置２０における処理となる。監視映像管理装置２０（映像データ管理部２１）は、監視カメラ装置１０から配信されるメインストリームデータおよびサブストリームデータを受信し、その中から取り出した低画素フレーム映像３２および高画素部分映像３１ａを監視映像レコーダ２２に記録する（ステップＳ２１）。さらに、監視映像管理装置２０（映像データ管理部２１）は、低画素フレーム映像３２をハイビジョンサイズに拡大し、低解像度の高画素フレーム映像を生成する（ステップＳ２２）。
【００４７】
次に、監視映像管理装置２０（監視映像合成部２３）は、ステップＳ２１で生成した低解像度の高画素フレーム映像と高画素部分映像３１ａと合成した合成フレーム映像３３を監視映像表示装置２４に表示する（ステップＳ２３）。なお、この映像の合成の処理では、低解像度の高画素フレーム映像（低画素フレーム映像３２）の中から、高画素部分映像３１ａに相当する部分が除外され、その除外された部分に高画素部分映像３１ａがはめ込まれる。
【００４８】
以上のようにして、監視映像表示装置２４には、低解像度の低画素フレーム映像３２が表示された中に、高解像度の高画素部分映像３１ａがはめ込まれた形で表示される。そして、この高画素部分映像３１ａの中には、移動体映像および移動体が移動してきた移動軌跡の空間が含まれている。そのため、高画素部分映像３１ａの中に含まれる移動する人物（移動体）が例えば財布（図３の図中では、四角で囲ったＧで表されている）を落としたような場合、その財布も高解像度の高画素部分映像３１ａの中に表示されることとなる。したがって、映像の監視者は、移動する人物（移動体）が落としたものが財布であることなどを認識することができる。
【００４９】
図５は、比較例に係る高画素フレーム映像４１、高画素部分映像４１ａ、低画素フレーム映像４２および表示フレーム映像４３の例を示した図である。ここで、比較例は、特許文献１および特許文献２に記載された従来技術を組み合わせたものを想定している。すなわち、この比較例では、高画素フレーム映像４１を低画素化した低画素フレーム映像４２および高画素フレーム映像４１から切り出した高画素部分映像４１ａが、監視カメラ装置１０から監視映像管理装置２０へ配信されるものとしている。
【００５０】
この比較例でいう高画素フレーム映像４１、高画素部分映像４１ａ、低画素フレーム映像４２および表示フレーム映像４３は、それぞれ本発明の実施形態でいう高画素フレーム映像３１、高画素部分映像３１ａ、低画素フレーム映像３２および合成フレーム映像３３に対応する。以下、これらの異同について説明する。
【００５１】
また、この比較例でも、本発明の実施形態と同様に、高画素フレーム映像４１を低画素化した低画素フレーム映像４２と、高画素フレーム映像４１から切り出された高画素部分映像４１ａとが監視映像管理装置２０へ配信されるものとしている。そして、切り出される高画素部分映像４１ａのサイズも本発明の実施形態の場合と同じＶＧＡレベルの画素サイズであるとする。
【００５２】
したがって、監視カメラ装置１０から監視映像管理装置２０へ配信される映像データ量は、比較例でも本発明の実施形態でもほぼ同じである。そこで、その配信される映像データ量を、高画素フレーム映像３１，４１を単純に配信する場合の映像データ量と比較すると、次のようになる。
【００５３】
例えば、ハイビジョンレベルの高画素フレーム映像３１，４１は、約２００万画素で構成されるのに対し、ＶＧＡレベルの低画素フレーム映像３２，４２は、約３０万画素で構成される。また、高画素部分映像３１ａ，４１ａの映像がＶＧＡレベルの画素サイズであるとすると、高画素部分映像３１ａ，４１ａも約３０万の画素で構成される。したがって、この比較例や本発明の実施形態では、高画素フレーム映像３１，４１を単純に配信する場合に比べ、配信される映像データ量は、約２００万画素から約６０万画素へと１／３以下に削減される。
【００５４】
一方、この比較例と本発明の実施形態とでは、高画素部分映像３１ａ，４１ａの切り出し方には相違がある。本発明の実施形態では、高画素部分映像３１ａ（図３参照）は、移動体映像が端部に配置され、かつ、移動体映像の移動軌跡を含むように切り出される。それに対し、この比較例では、高画素部分映像４１ａ（図５参照）は、移動体映像が中央に位置するように（特許文献２では、移動体映像を含んだ部分のみが）切り出される。すなわち、比較例では、移動体映像は、高画素部分映像４１ａに含まれるが、移動体映像の移動方向（移動軌跡）の情報は、高画素部分映像４１ａに含まれない。
【００５５】
そのため、本発明の実施形態では、例えば、移動する人物（移動体）が落とした財布などが高画素部分映像３１ａの中に含まれる可能性が大きいが、比較例では、移動する人物が落とした財布などが高画素部分映像４１ａの中に含まれる可能性は小さい。
【００５６】
また、高画素部分映像３１ａ，４１ａが監視映像表示装置２４に表示される表示方法にも相違がある。本発明の実施形態では、低解像度の低画素フレーム映像３２が表示された中に高解像度の高画素部分映像３１ａがはめ込まれる形で表示される（図３参照）。それに対し、比較例では、監視映像表示装置２４には低画素フレーム映像４２または高画素部分映像４１ａがそれぞれ独立に表示される（図５参照）。あるいは、高画素画面に拡大して表示された低画素フレーム映像４２の中に、ピクチャ・イン・ピクチャの形式で高解像度の高画素部分映像４１ａが表示される。
【００５７】
したがって、本発明の実施形態では、例えば財布が高解像度の高画素部分映像３１ａの中に表示されるので、監視映像表示装置２４を見ている監視者は、移動する人物が財布を落としたことなどを、より正しく認識することができる。一方、比較例では、財布は、高解像度の高画素部分映像４１ａの中に表示されず、低画素フレーム映像４２の中にぼやけて表示されることとなる。そのため、監視者は、移動する人物が落としたものが何であるかを正しく認識できるとは限らない。
【００５８】
以上のように、比較例では、配信する映像データ量を減じたことにより、高解像度の高画素フレーム映像３１に含まれている移動体の移動に関連する挙動の一部（例えば、移動する人物が財布を落としたことなどの情報）が失われる可能性が大きい。
【００５９】
一方、本発明の実施形態では、高解像度の高画素部分映像３１ａの中には、移動する人物が落としたとする財布は、高解像度の映像として表示される。これは、本発明の実施形態では、移動体映像が高画素フレーム映像３１の端部に表示されるため、移動体が移動してきた移動軌跡の空間が広くなっているからである。そのため、監視者は、移動する人物が落としたものが財布であることなどをより正しく認識することができる。
【００６０】
以上のように、本発明の実施形態は、監視システム１００において、高解像度の高画素フレーム映像３１に含まれる監視対象の挙動の情報をできるだけ失うことなく、配信または記録される映像データ量を減ずることが可能になるという効果を奏する。
【００６１】
（実施形態の第１の変形例）
図６は、本発明の実施形態の第１の変形例に係る高画素フレーム映像５１、高画素部分映像５１ａ、低画素フレーム映像５２および合成フレーム映像５３の例を示した図である。本変形例は、高画素部分映像５１ａが縦長のＶＧＡ画素サイズ（４８０×６４０）となっていることを除けば、図１〜図４に示した実施形態と同じである。すなわち、本変形例では、部分映像切出部１６は、高画素フレーム映像５１から縦長のＶＧＡ画素サイズの高画素部分映像５１ａを切り出す。
【００６２】
このような縦長の高画素部分映像５１ａの切り出し方は、移動体映像（移動する人物）映像の後方から前方へ、または、前方から後方へ移動するような場合に好適である。図６に示すように、移動体映像（移動する人物）が映像の後方から前方へ移動するような場合には、その移動軌跡（一点鎖線で描かれた曲線）は、移動体映像の後方部に位置することとなる。その場合には、縦長のＶＧＡ画素サイズのほうが移動軌跡の空間をより広く確保することができる。そのため、本変形例では、移動体映像と移動体映像の移動軌跡との間の位置関係がより正しく捉えられるようになるので、移動体映像の移動方向の検出精度が向上する。
【００６３】
（実施形態の第２の変形例）
図７は、本発明の実施形態の第２の変形例に係る高画素フレーム映像６１、高画素部分映像６１ａ、低画素フレーム映像６２および合成フレーム映像６３の例を示した図である。本変形例は、部分映像切出部１６による高画素部分映像６１ａの切り出し方が前記した実施形態と相違している。前記した実施形態では、高画素部分映像３１ａは、移動体映像（人物の映像など）が端部に位置し、かつ、移動体映像の移動軌跡が含まれるように切り出される。これに対し、本変形例では、高画素部分映像６１ａは、移動体映像（人物の映像など）が端部に位置し、かつ、移動体映像のこれからの予測移動軌跡が含まれるように切り出される。ここで、予測移動軌跡とは、それまでの移動体映像の移動軌跡をその移動方向に延長したものであるとする。
【００６４】
図６の例では、高画素部分映像６１ａには、その両端部に２人の人物が移動体映像として含まれるとともに、その２人それぞれのこれからの予測移動軌跡（図示省略）が含まれている。したがって、例えば、図６に示された合成フレーム映像６３からは、横断歩道を歩行している２人の人物が接触したり衝突したりする可能性があることが分かる。したがって、監視者は、この映像から、横断歩道上での人同士の接触事故などを予測することができる。また、接触事故などが生じた後であれば、事故直前の合成フレーム映像６３から、事故の原因が２人のスマホ歩きなどであったことなどを知ることができる。
【００６５】
なお、図６の例では、高画素部分映像６１ａに移動体映像が２つ含まれたものとなっているが、移動体映像が１つ含まれたものであってもよい。
【００６６】
以上、本発明の実施形態およびその変形例によれば、移動体と移動体の直前または直後の移動軌跡とを含んだ高解像度の映像が監視映像表示装置２４に表示されるので、監視者は、そのときに生じた移動体が絡む事故などの事象の原因を的確に掴むことができる。
【００６７】
また、以上の説明では、移動体は、主として人物であるとして説明をしたが、移動体が車両などであってもよい。移動体が車両であっても、高解像度の高画素部分映像３１ａ，５１ａ，６１ａの中に、移動体映像と、移動体映像のこれまでの移動軌跡またはこれからの予測移動軌跡を含む空間の映像とが含まれていれば、事故時などにおける移動体の挙動を詳しく知ることができる。
【００６８】
なお、本発明は、以上に説明した実施形態および変形例に限定されるものではなく、さらに、様々な変形例が含まれる。例えば、前記した実施形態および変形例は、本発明を分かりやすく説明するために詳細に説明したものであり、必ずしも説明した全ての構成を備えるものに限定されるものではない。また、ある実施形態や変形例の構成の一部を、他の実施形態や変形例の構成に置き換えることが可能であり、また、ある実施形態や変形例の構成に他の実施形態や変形例の構成を加えることも可能である。また、各実施形態や変形例の構成の一部について、他の実施形態や変形例に含まれる構成を追加・削除・置換することも可能である。
【符号の説明】
【００６９】
１０    監視カメラ装置
１１    画像センサ
１２    映像記憶部
１３    映像低画素化部
１４    メインストリーム生成部
１５    移動体映像検出部
１６    部分映像切出部
１７    サブストリーム生成部
１８    監視映像配信部
２０    監視映像管理装置
２１    映像データ管理部
２２    監視映像レコーダ
２３    監視映像合成部
２４    監視映像表示装置
３１，４１，５１，６１  高画素フレーム映像（第１の映像）
３１ａ，４１ａ，５１ａ，６１ａ  高画素部分映像（第３の映像）
３２，４２，５２，６２  低画素フレーム映像（第２の映像）
３３，５３，６３  合成フレーム映像
４３    表示映像フレーム
１００  監視システム
【図１】
2019009615.tif 000003
【図２】
2019009615.tif 000004
【図３】
2019009615.tif 000005
【図４】
2019009615.tif 000006
【図５】
2019009615.tif 000007
【図６】
2019009615.tif 000008
【図７】
2019009615.tif 000009